【手続補正書】
【提出日】平成18年6月28日(2006.6.28)
【手続補正１】
【補正対象書類名】特許請求の範囲
【補正対象項目名】全文
【補正方法】変更
【補正の内容】
【特許請求の範囲】
【請求項１】
内周部に突設した複数の凸部がアウターケースの凹部に嵌合して取付けられる筒状の大径側取付部と、シャフトに取付けられる筒状の小径側取付部と、これらを連結する蛇腹部とからなるジョイントブーツを製造する方法であって、
前記大径側取付部の製品形状をなす第１部分と、前記小径側取付部の製品形状をなす第２部分と、これら第１部分と第２部分を連結する第３部分と、を備える筒状のパリソンを成形材料で射出成形し、
前記パリソンの冷却後、前記第１部分が支持体の下側嵌合部に同芯状に外嵌し、前記第２部分が支持体の上側嵌合部に同芯状に外嵌し、前記第３部分が前記支持体の上下中間部を同芯状に囲んだ状態になるように、前記パリソンを前記支持体に支持させて、前記第１部分と前記第２部分と前記第３部分のうち、前記第３部分だけを径方向外方側から加熱装置で設定温度に加熱し、
前記加熱が完了した後、前記パリソンを前記支持体に支持させたまま、周方向に複数に分割可能な外型で前記パリソンを覆い、ここで、前記外型が、前記支持体の下端部側の柱状の支持台部を同芯状に外嵌する嵌合型部を備え、前記支持台部の外周面には周方向に延びる凸条が全周にわたって設けられるとともに、前記嵌合型部の内周面には前記凸条が嵌り込む凹溝が設けられ、前記凸条の上下面の少なくとも一方が前記支持体の軸直角方向に対して傾斜したテーパー面状に形成されるとともに、対応する前記凹溝の上下面の少なくとも一方が同様のテーパー面状に形成されており、前記パリソンを前記外型で覆う際に、前記嵌合型部を前記支持台部に対して径方向外方側から型閉めして、前記凹溝の上下面間に前記凸条の上下面を隙間なく当接させ、
上記により前記パリソンの前記第３部分を前記外型で覆った後、前記支持体に設けた噴射口から前記第３部分の内周面に気体を噴射し、前記外型に前記第３部分を押し付けて前記蛇腹部を成形するジョイントブーツの製造方法。
【請求項２】
内周部に突設した複数の凸部がアウターケースの凹部に嵌合して取付けられる筒状の大径側取付部と、シャフトに取付けられる筒状の小径側取付部と、これらを連結する蛇腹部とからなるジョイントブーツを製造する方法であって、
前記大径側取付部の製品形状をなす第１部分と、前記小径側取付部の製品形状をなす第２部分と、これら第１部分と第２部分を連結する第３部分と、を備える筒状のパリソンを成形材料で射出成形し、
前記パリソンの冷却後、前記第１部分が支持体の下側嵌合部に同芯状に外嵌し、前記第２部分が支持体の上側嵌合部に同芯状に外嵌し、前記第３部分が前記支持体の上下中間部に同芯状に外嵌した状態になるように、前記パリソンを前記支持体に支持させるとともに、前記第１部分の外周を取り囲む筒状の第１カバー部と、前記第２部分の外周を取り囲む筒状の第２カバー部とを備え、これらの第１カバー部と第２カバー部が連結部によって連結されて前記第３部分に相当する箇所に加熱用の開口部が設けられたカバー部材を、前記パリソンに被せて、前記第１部分と前記第２部分と前記第３部分のうち、前記第３部分だけを径方向外方側から加熱装置で設定温度に加熱し、
その後に、前記第３部分を外型で覆い、前記第３部分の内周面に気体を噴射し、前記外型に前記第３部分を押し付けて前記蛇腹部を成形するジョイントブーツの製造方法。
【請求項３】
前記支持体を下側コンベアに複数個、搬送方向に間隔を空けて配設するとともに、各支持体と下側コンベアの間に前記支持体を前記軸芯周りに回転させる回転駆動機構を設け、前記下側コンベアに対向する上側コンベアに前記カバー部材を複数個、搬送方向に間隔を空けて吊り下げ支持するとともに、各カバー部材と上側コンベアの間に前記カバー部材を昇降させる昇降機構を設け、前記下側コンベアと上側コンベアとの間の両横外方側にヒータを配置してあり、
前記複数の支持体に前記パリソンを順次支持させ、前記カバー部材を前記昇降機構により下降させて各パリソンに被せ、前記上側コンベアと下側コンベアを搬送駆動させるとともに、各支持体を前記回転駆動機構により回転させながら、前記ヒータで各パリソンの前記第３部分を順次加熱する請求項２記載のジョイントブーツの製造方法。
【請求項４】
内周部に突設した複数の凸部がアウターケースの凹部に嵌合して取付けられる筒状の大径側取付部と、シャフトに取付けられる筒状の小径側取付部と、これらを連結する蛇腹部とからなるジョイントブーツであって、前記凸部において大径側取付部が、径方向内方に湾曲状に張り出す内側壁部と、大径側取付部の外周面の一部を構成する円弧状の外側壁部と、これら内側壁部と外側壁部を両者の周方向中央で連結する径方向に延びる中央支持壁と、該中央支持壁の両側において前記内側壁部と外側壁部を連結する左右のサイド支持壁とを備えてなり、該サイド支持壁が外方ほど前記中央支持壁に近づくように傾斜しているジョイントブーツを製造する方法であって、
前記大径側取付部の製品形状をなす第１部分と、前記小径側取付部の製品形状をなす第２部分と、これら第１部分と第２部分を連結する第３部分と、を備える筒状のパリソンを成形材料で射出成形し、
前記パリソンの冷却後、前記第１部分と前記第２部分と前記第３部分のうち、前記第３部分だけを径方向外方側から加熱装置で設定温度に加熱し、
その後に、前記第３部分を外型で覆い、前記第３部分の内周面に気体を噴射し、前記外型に前記第３部分を押し付けて前記蛇腹部を成形するジョイントブーツの製造方法。
【請求項５】
前記サイド支持壁が、前記内側壁部における前記中央支持壁との連結部と前記外側壁部への付け根部との中間位置において、前記内側壁部に結合されている請求項４記載のジョイントブーツの製造方法。
【手続補正２】
【補正対象書類名】明細書
【補正対象項目名】００１３
【補正方法】変更
【補正の内容】
【００１３】
請求項１記載の製造方法は、上記方法において、前記第１部分が支持体の下側嵌合部に同芯状に外嵌し、前記第２部分が支持体の上側嵌合部に同芯状に外嵌し、前記第３部分が支持体の上下中間部を同芯状に囲んだ状態になるように、前記パリソンを支持体に支持させて、前記第３部分を径方向外方側から加熱し、前記の加熱が完了した後、前記パリソンを前記支持体に支持させたまま、周方向に複数に分割可能な前記外型でパリソンを覆い、前記支持体に設けた噴射口から気体を噴射するものである。このように支持体に設けた噴射口から気体を噴射するので、第３部分の加熱が完了した後、噴射口を備えたブロー成形専用の部材にパリソンを新たに支持させる必要がなくて、ブロー成形にかかる手間を少なくすることができる。
【手続補正３】
【補正対象書類名】明細書
【補正対象項目名】００１４
【補正方法】変更
【補正の内容】
【００１４】
請求項１記載の製造方法は、更に、前記外型が、前記支持体の下端部側の柱状の支持台部を同芯状に外嵌する嵌合型部を備え、前記支持台部の外周面には周方向に延びる凸条が全周にわたって設けられるとともに、前記嵌合型部の内周面には前記凸条が嵌り込む凹溝が設けられ、前記凸条の上下面の少なくとも一方が前記支持体の軸直角方向に対して傾斜したテーパー面状に形成されるとともに、対応する前記凹溝の上下面の少なくとも一方が同様のテーパー面状に形成されており、前記パリソンを前記外型で覆う際に、前記嵌合型部を前記支持台部に対して径方向外方側から型閉めして、前記凹溝の上下面間に前記凸条の上下面を隙間なく当接させるものである。
【手続補正４】
【補正対象書類名】明細書
【補正対象項目名】００１６
【補正方法】変更
【補正の内容】
【００１６】
請求項２記載の製造方法は、上記方法において、前記第１部分が支持体の下側嵌合部に同芯状に外嵌し、前記第２部分が支持体の上側嵌合部に同芯状に外嵌し、前記第３部分が支持体の上下中間部に同芯状に外嵌した状態になるように、前記パリソンを支持体に支持させて、前記第３部分を径方向外方側から加熱するものである。
【手続補正５】
【補正対象書類名】明細書
【補正対象項目名】００１９
【補正方法】変更
【補正の内容】
【００１９】
請求項２記載の製造方法は、更に、前記第１部分の外周を取り囲む筒状の第１カバー部と、前記第２部分の外周を取り囲む筒状の第２カバー部とを備え、これらの第１カバー部と第２カバー部が連結部によって連結されて前記第３部分に相当する箇所に加熱用の開口部が設けられたカバー部材を、前記パリソンに被せて、前記第３部分の加熱を行うものである。
【手続補正６】
【補正対象書類名】明細書
【補正対象項目名】００２３
【補正方法】変更
【補正の内容】
【００２３】
請求項４記載の製造方法は、上記方法において、前記凸部が、径方向内方に湾曲状に張り出す内側壁部と、大径側取付部の外周面の一部を構成する円弧状の外側壁部と、これら内側壁部と外側壁部を両者の周方向中央で連結する径方向に延びる中央支持壁と、該中央支持壁の両側において前記内側壁部と外側壁部を連結する左右のサイド支持壁とを備えてなり、該サイド支持壁が外方ほど前記中央支持壁に近づくように傾斜しているものである。